(57)【要約】  本発明は、吸入した気流によって粉薬を吸入器の中でエアロゾル化をさせる乾粉エアロゾル化吸入器であり、主体１１及びそれに連結される吸い口接合具１２を含んでいる。主体１１上に設置され、薬剤装入口１が渦流腔道に貫通され、渦流腔道が吸い口接合具１２に貫通されている。  【選択図】  図１
2008534091.tif 000002
【特許請求の範囲】
【請求項１】
主体１１の中に薬剤装入口１を備え、薬剤装入口１を渦流腔道に貫通させ、渦流腔道を吸い口接合具１２上の吸い口９に貫通させることを特徴とする主体１１とそれに連結される吸い口の接合具１２を含む一種乾粉エアロゾル化吸入器。
【請求項２】
前記薬剤装入口１は漏斗型薬剤装入口１であり、前記漏斗型薬粉装入口１の上方にある主体１１の上に薬剤装入口蓋板２が設置されていることを特徴とする請求項１記載の乾粉エアロゾル化吸入器。
【請求項３】
前記薬剤装入口蓋板２の上に小穴を備えていることを特徴とする請求項２記載の乾粉エアロゾル化吸入器。
【請求項４】
前記主体１１の上に吸気口４を備え、吸気口４は吸気道５により漏斗型薬剤装入口１に貫通されていることを特徴とする請求項２記載の乾粉エアロゾル化吸入器。
【請求項５】
前記吸気口４の位置の主体１１上に逆止弁板３が設置され、前記吸気道５が若干の1ミリメートルの隙間から構成され、空気の中の異物を濾過することができることを特徴とする請求項４記載の乾粉エアロゾル化吸入器。
【請求項６】
前記渦流腔道の数量が１個より多い場合では、渦流腔道が直列、又は並列、又は部分直列、又は部分並列に配置することを特徴とする請求項１記載の乾粉エアロゾル化吸入器。
【請求項７】
前記渦流腔道は小内径の吸気道６と大内径の渦流室７から構成され、
小内径の吸気道６の一端を大内径の渦流室７に貫通させ、他の一端を薬剤装入口１に貫通させ、
大内径の渦流室７を直接に吸い口９に貫通させるか、又は隣接渦流室の小内径の吸気道に貫通させること、これにより、最後の渦流腔道中の大内径の渦流室を吸い口９に貫通させることを特徴とする請求項１又は６記載の乾粉エアロゾル化吸入器。
【請求項８】
前記大内径の渦流室７と小内径の吸気道６との接合部は、緩やかな変化の構造であるか、又は急激な変化の構造であることを特徴とする請求項８記載の乾粉エアロゾル化吸入器。
【請求項９】
前記吸い口接合具１２の上に外部チューブ１０を備えていることを特徴とする請求項１記載の乾粉エアロゾル化吸入器。
【請求項１０】
前記外部チューブ１０の後端部の内側に僅かなリング状突起物が設けられ、それを主体１１上に対応する位置の外側に備えている僅かなリング状突起物に相互に締め付けさせる時、外部チューブ１０を固定する機能が発揮できることを特徴とする請求項９記載の乾粉エアロゾル化吸入器。
【発明の詳細な説明】
【技術分野】
【０００１】
本発明は、特に粉薬にエアロゾル化を実現させることができる医療器械に関し、特に乾粉エアロゾル化吸入器に関する。
【背景技術】
【０００２】
最近、従来の乾粉吸入器は多種の構造方式があるが、主に以下の三つの問題が存在している。第一に、乾粉の吸入率が低く、研究の結果によると、わずか８％−１６％の薬剤の顆粒しか気管および肺に入ることができない。第二に、乾粉は器具から容易に吹き出されてしまい、乾粉吸入器によっては、吸入する乾粉が吸い口の附近にバラついているので、いったん吸い口の中に息を吐き出すと、特に老人や児童の使用時には、よく思わず息を吐き出すので、乾粉が吹き散らされることがある。第三に、吸い口によっては洗浄が困難であるため、吸い口上の汚染物により交互感染が引き起こされる。
【発明の開示】
【発明が解決しようとする課題】
【０００３】
本発明は、吸入した気流によって粉薬を吸入器の中でエアロゾル化させ、薬剤の吸入率を著しく向上し、より多くの薬剤顆粒を下呼吸道、肺胞の中までに到達させることができることと、使用者が息を吐き出す時に薬剤が器具から吹き出されることを防止し、交互感染を予防し、全身の薬剤の副作用を減少し、且つ使用者の経済的負担を著しく低減することができる新型の乾粉エアロゾル化吸入器を設計することを目的とする。
【課題を解決するための手段】
【０００４】
主体１１の中に薬剤装入口１を備え、薬剤装入口１を渦流腔道に貫通させ、渦流腔道を吸い口接合具１２上の吸い口９に貫通させることを特徴とする主体１１とそれに連結される吸い口の接合具１２を含む一種乾粉エアロゾル化吸入器である。
【０００５】
本発明はさらに以下の技術措置を採用する。
薬剤装入口１は、漏斗型薬剤装入口１でも良い。漏斗型薬粉装入口１の上方にある主体１１の上に薬剤装入口蓋板２が設置されている。
薬剤装入口蓋板２の上に小穴を備えている。
主体１１の上に吸気口４を備え、吸気口４は吸気道５により漏斗型薬剤装入口１に貫通されている。
吸気口４の位置の主体１１上に逆止弁板３が設置されている。
渦流腔道の数量が１個より多い場合では、渦流腔道が直列又は並列に配置する。
渦流腔道の数量は２個以上の場合では、渦流腔道が部分直列又は部分並列に配置する。
【０００６】
渦流腔道は小内径の吸気道６、大内径の渦流室７から構成されている。小内径の吸気道６は、その一端を大内径の渦流室７に貫通させ、他の一端を薬剤装入口１に貫通させている。大内径の渦流室７を直接に吸い口９に貫通させるか、又は隣接する渦流室の小内径の吸気道に貫通させる。このようにして、最後の渦流腔道中の大内径の渦流室を、吸い口９に貫通させる。
【０００７】
大内径の渦流室７と小内径の吸気道６との接合部は、緩やかな変化の構造に、又は急激な変化の構造に形成されている。
【０００８】
吸い口接合具１２の上に使用者の口に含ませるため外部チューブ１０を備えている。外部チューブ１０は多様の規格で使用に供することができる。
【発明の効果】
【０００９】
１．吸い込まれた薬剤顆粒を、呼吸道に進入する前に既にエアロゾル化させることができ、吸入率を向上させることができる。そして、下呼吸道、肺胞の中までに到達させることができる。呼吸道の病気の予防ためにより有効的な直接に薬投入の方法を提供することができる。
２．乾粉が器具から吹き出されることを、防止することができる。
３．吸い口の外部チューブは洗浄しやすいので、交互感染を予防することができる。
４．より長い吸い口の外部チューブを設計しており、口腔の中後部まで届くことができ、舌の上に置き、吸い口が咽頭部に向かっているので、舌と口腔の粘膜上に乾粉の粘着量を減少することができる。これによって薬剤を吸入する過程中においては、乾粉の吸入率を向上することだけでなく、また薬剤が口腔の粘膜と舌に多く吸収されることを免れることができ、全身の薬剤の副作用の発生率を減少することができる。
【発明を実施するための最良の形態】
【００１０】
以下は図面と実施例により、本発明に対して更に説明する。
【実施例１】
【００１１】
図1〜4に示すように、乾粉エアロゾル化吸入器は、主体１１とそれに連結されている吸い口の接合具１２を含んでいる。主体１１の中に漏斗型の薬剤装入口１を備え、漏斗型薬剤装入口１の上方に、主体１１の薬剤装入口蓋板２が設置されている。薬剤装入口蓋板２は、主体１１上のスロットに挿入されている。図３は、乾粉エアロゾル化吸入器の薬剤装入口蓋板２と、蓋板のスロット２０１を示す構成図である。薬剤装入口蓋板２の上に対応する小穴を備えている。漏斗型薬剤装入口１の一端と他端とは、それぞれ主体１１上の吸気道５及び渦流腔道の吸気道６に貫通され、渦流腔道の吸気道８の一端は吸い口接合具１２の吸い口９に貫通され、吸い口９の内径は吸気道８の内径より大きく、従って、本実施例の吸い口９と小内径の吸気道８も、1つの渦流気腔道を形成している。即ち、本実施例では実際に二つの渦流腔道を直列に配置する方式が採用されている。吸気口４の位置にある主体１１上に逆止弁板３が配置される。この逆止弁板の構造は図4に示す。図４は、乾粉エアロゾル化吸入器の逆止弁板３と弁板縁３０１の略図である。渦流腔道は小内径の吸気道６と内径の渦流室７から構成され、小内径の吸気道６は漏斗型薬剤装入口１と大内径の渦流室７にそれぞれ貫通されている。渦流腔道が多数の場合では、図1中の小内径の吸気道８は小内径の吸気管６に相当し、隣接の渦流腔道中の大内径の渦流室に貫通され、このようにして、最後の大内径の渦流室を吸い口９に貫通させる。吸い口９は、図1に示すような緩やかな変化の構造が採用されても良く、或いは急激な変化の構造が採用されても良い。大内径の渦流室７、小内径の吸気道６及び小内径の吸気道８の接合部は、図1に示すような緩やかな変化の構造が採用されても良いし、或いは急激な変化の構造が採用されても良い。吸い口接合具１２は、使用者の口に含ませるために、外部チューブ１０を備えている。外部チューブ１０は多様の規格で使用に供することができる。
【００１２】
具体的に実施する時にプラスチックの射出成形により製作されても良いし、木材、陶磁器などの材料により作製されても良い。吸い口接合具１２と主体１１は別々に制作されることができ、それを組立てにより完成した器具になる。主体は縦断面より半分に分けて制作され、その後組合せて完成となる。吸い口の部分が別体製作され、ねじ式により組立てることが可能とされる。
【００１３】
本発明は具体的に実施する時に以下の方法を採用して製造することができる。
まず第一に、乾粉エアロゾル化吸入器の主体１１の上に、乾粉を詰める漏斗型薬剤装入口１を一つ製作し、その上口の内径は１０ミリメートル前後、下口の内径は３ミリメートル前後で良い。当該漏斗型薬剤装入口１の下端は、薬剤装入口の後部管道機構に連結され、その管道内径は、漏斗型薬剤装入口１との連結部から漸漸大きくなっても良いし、部分的に大きくなっても良い。空気吸入により乾粉を管道に通過させる際、乾粉がエアロゾル状態となることができる。漏斗型薬剤装入口１の側面は、薬剤装入口の前部管道（吸気道５）に連結されることができる。吸気道５が数本の1ミリメートルの隙間から構成され、空気の中の異物を濾過することができ、漏斗型薬剤装入口１の上に薬剤装入口蓋板２が設置され、薬剤装入口蓋板２の上に小穴を備え、穴の内径は３ミリメートル前後であることができる。薬剤装入口１上の薬剤装入口蓋板２に小穴がなくても良い。押し引き式薬剤装入口蓋板が使用されても良い、薬剤装入口蓋板が薬剤装入口蓋板のスロットの中に設置されただけである（図３に示す）。
【００１４】
第二に、漏斗型薬剤装入口１の下端と吸い口の間の管道(薬剤装入口の後部管道)は、乾粉エアロゾル化腔室（即ち渦流腔道）として、管道の中に1段の小内径の吸気道６が内径の管道（即ち渦流室７）に連結され、1つの構成ユニットになる。気流は、小内径の吸気道６から大内径の管道（即ち渦流室7）に進入された時に渦流が形成され、乾粉は気流の通過により渦流の中に十分に拡散され、エアロゾルが形成される。管道の中に２個以上の渦流腔道を直列又は並列に連結すれば、乾粉を繰り返して拡散させることができ、いっそうエアロゾル化する目的を達成することができる。小内径の吸気道６の内径は３ミリメートル前後で良い、この管道の長さは８ミリメートル前後で良い。大内径の管道（即ち渦流室７）の内径は１０ミリメートル前後で良い。大内径の管道（即ち渦流室７）の吸気端部の管径が緩やかな変化の構造であるか、又は急激な変化の構造である。しかし急激な変化の構造での渦流効果が最も良い。その後、大内径の渦流室７の内径が段段小さくなっても良いし、小さくなくても良い。乾粉の滞留を防止するために、この管道の長さは２５ミリメートル前後で良い。
【００１５】
第三に、乾粉が吹き出されることを防止するために、漏斗型薬剤装入口１上部の薬剤装入口蓋板２の上に小穴があるべきではない。薬剤装入の後に薬剤装入口蓋板２を直ちに閉鎖すべきである。漏斗型薬剤装入口１の側面で吸気道５により吸気口４に貫通され、吸気口４に逆止弁板３が設置されている。吸い口９から息を吸う時に、逆止弁板３は内向きに開放され、空気が進入される。若し気付かずに吸い口９の内に息を吐くなら、逆止弁板３は閉鎖され、乾粉が吹き出されることを防止することができる。逆止弁板３は主体１１の弁板縁穴に弁板縁３０１を設置することにより構成される。図4に参照する。弁板の開放しすぎることを防止するために、吸気口４の中に、弁板の阻止棒が設置されることもできる。
【００１６】
第四に、吸い口接合具１２の上に外部チューブ１０を備え、使用後に、取外して洗浄、消毒するのに便利である。外部チューブ１０の長さは８０ミリメートル前後で、外部チューブ１０の口含部分は、異なる大きさの規格を有することができ、異なる口形に適応し選択することができる。外部チューブ１０の後端部の内側に僅かなリング状突起物が設けられ、それを主体１１上に対応する位置の外側に備えている僅かなリング状突起物に相互に締め付けさせる時、外部チューブ１０を固定する機能が発揮できる。
【００１７】
本発明の使用方法は以下の通りである。
先ず乾粉 (通常の使用量は１−３立方ミリメートル) を漏斗型薬剤装入口１の中に装入させ、その後、薬剤装入口蓋板２を閉鎖させ、これによって、薬剤を吸入する前の準備作業は終了する。吸い口９から息を吸う時に、吸気口４上の逆止弁板３が開放され、空気は吸気口４から流れ込み、吸気道５経由で漏斗型薬剤装入口１の中に補給する。同時に、漏斗型薬剤装入口１の中の乾粉は気流を伴い、小内径の吸気管６に進入され、再び大内径の渦流室７に進入され、その後、小内径の排気道８に進入され、最後、大内径の渦流室と吸い口９を経由して口腔に到達される。気流が大内径の渦流室７、大内径の渦流室、吸い口９及び口腔に進入している時に、既に何回も渦流を発生させ、気流の中で乾粉を均等に浮遊させ、エアロゾルが形成される。吸い口接合具１２及び外部チューブ１０が口腔の中後部まで届くことができ、舌の上に置き、吸い口は咽頭部に向かっているので、舌と口腔の粘膜上に乾粉の粘着量を減少することができる。吸気することに伴い、エアロゾル化をした乾粉を広範囲で深く下呼吸道、肺胞の中までに到達させることができ、薬剤の使用量が少なく、効果が早く、全身の薬剤の副作用が小さいなどの長所は十分に明らかである。
【実施例２】
【００１８】
図5に示すように、本実施例の乾粉エアロゾル化する吸入器は、主体１１及びそれに連結される吸い口接合具１２を含み、主体１１の中に漏斗型薬剤装入口１を備え、漏斗型薬剤装入口１の上方にある主体１１の上に薬剤装入口蓋板２が設置され、薬剤装入口蓋板２は主体１１上のスロット２０１に挿入され、漏斗型薬剤装入口１はそれぞれ主体１１上の吸気道５及び小内径の吸気道６に貫通され、小内径の吸気道１８の両端はそれぞれ大内径の渦流室７と大内径の渦流室１７となり、小内径の吸気道８の一端は大内径の渦流室２７上の吸い口９に貫通され、それで、本実施例は実際に三つの渦流腔道の直列方式が採用され、三つの渦流腔道はそれぞれ大内径の渦流室７、大内径の渦流室１７及び大内径の渦流室２７が代表されている。吸気口４の位置に逆止弁板３が設置され、弁板の開放しすぎることを防止するために、吸気口４の中で弁板の阻止棒が設置されている。吸い口接合具１２の上に使用者の口に含ませるための外部チューブ１０を備え、外部チューブ１０の後端部の内側に僅かなリング状突起物が設けられ、主体１１の対応する位置の外側に僅かなリング状突起物に相互に締め付けさせる時、外部チューブ１０を固定する機能が発揮できる。使用者が吸い口９から息を吸う時に、吸気口４上の逆止弁板３が自動的開放され、空気は吸気口４から流れ込み、吸気道５経由で漏斗型薬剤装入口１の中に補給され、漏斗型装入口１の中の粉薬は吸入した気流に伴い、小内径の吸気管６→大内径の渦流室７→小内径の吸気道１８→大内径の渦流室１７→小内径の吸気道８→大内径の渦流室２７と吸い口→口腔中の順で進入していく。とにかく、空気は漏斗型薬剤装入口１から使用者の口腔中に至って、渦流腔道の容積が僅か1.8立方センチメートルであるが、もう既に四度の渦流を発生させ、気流の中で粉薬を均等に浮遊させることができ、粉薬エアロゾルが形成される。これによって、粉薬エアロゾルは吸気することに伴い、広範囲で下呼吸道に、更に肺泡まで到達することができる。
【００１９】
本発明が既により良い実施例を上記に公開したが、それらは本発明を限定するためではなく、本発明の精神と範囲を離脱していなければ、この分野に詳しい技術者は誰でも本発明をもとに各の変更や修正することが可能とされる。だから、本発明の保護範囲は本出願請求項に保護される範囲に基づき限定されている。
【図面の簡単な説明】
【００２０】
【図１】図１は本発明の実施例１を示す構成図。
【図２】図２は図1の上面からの実施例１を示す構成図。
【図３】図３は本発明の実施例１に主体上の薬剤装入口蓋板２を挿入させるスロットを示す構成図。
【図４】図４は本発明の実施例１の逆止弁板３を示す構成図。
【図５】図５は本発明の実施例２を示す構成図。
【図１】
2008534091.tif 000003
【図２】
2008534091.tif 000004
【図３】
2008534091.tif 000005
【図４】
2008534091.tif 000006
【図５】
2008534091.tif 000007
【国際調査報告】
2008534091.tif 000008
2008534091.tif 000009
2008534091.tif 000010
2008534091.tif 000011
2008534091.tif 000012